(57)【特許請求の範囲】
【請求項１】
頭髪の生えている領域を複数のブロックに分割し、各ブロックの頭髪を複数のガイドの長さで鋏によりカットし、これにより、頭髪の生えている領域全体をロングのヘヤスタイルに形成するヘヤカット法において、
上記複数のブロックのうち少なくとも後頭部のブロック内では、下記第１ステップ、第２ステップ、および下記第３ステップを順に行い、
第１ステップでは、第１の部分的領域である１以上の第１ライン状ゾーンを、最も短い第１ガイドの長さにカットし、
第２ステップでは、第２の部分的領域でありかつ上記第１ライン状ゾーンより上位に位置する１以上の第２ライン状ゾーンを、該第２ライン状ゾーンの髪が上記第１ライン状ゾーンの髪に上から重なるように、中程度の長さの第２ガイドの長さにカットし、
第３ステップでは、上記第１ライン状ゾーンおよび第２ライン状ゾーンを含んでいる当該ブロックの全体的領域である全体ゾーンを、上記第１および第２ライン状ゾーンより上位に位置する該全体的ゾーン中の部分的髪が上記第１および第２ライン状ゾーンの髪に上から重なるように、上記ロングのヘヤスタイルの髪の長さである最も長い第３ガイドの長さにカットし、
上記第１ガイドは、上記第３ガイドの５〜７割の長さとし、
上記第２ガイドは、上記第１ガイドよりも長く、且つ上記第３ガイドの７〜８割の長さとすることを特徴とするヘヤカット法。
【請求項２】
上記第１ステップでは、カットされて残る毛の量が最も多い第１の毛量にカットされ、
上記第２ステップでは、上記第１毛量よりも少ない第２毛量にカットされ、
上記第３ステップでは、上記第２毛量よりも少ない第３毛量にカットされる、請求項１記載のヘヤカット法。
【発明の詳細な説明】
【０００１】
【発明の属する技術分野】
本発明は、理美容技術におけるヘヤカット法に関する。
【０００２】
【従来の技術】
理美容業界において、これまで用いられていたヘヤカット理論は、ビダル・サッスーン理論に代表され、全世界にわたって広くその理論による実践が行われてきた。この理論は、一つのガイド（カットする髪の基準長として、最初に決められる長さ）に基づいて、髪の長さに一定の規則性を持たせて全体を切り揃えるようにカットする理論であり、仕上がったヘヤスタイルの全体の形としては、『揃える』、『整える』、『纏める』ということを基本コンセプトとしたものになる。
【０００３】
上述の規則性は、グラディエーション、ワンレングス、レイヤーと呼ばれる三つのパターンによって与えられる。グラディエーションは、裾側の髪にガイドをとり、下から上へ連続的に髪長が長くなるように切り揃えるパターンである。ワンレングスは、全ての髪をガイドの長さで切り揃えるパターン。レイヤーは、グラディエーションとは逆に、頭頂側の髪にガイドをとり、上から下へ髪長が長くなるように切り揃えるパターンである。ビダル・サッスーン理論では、この三つのパターンの何れか一つによって全体の形を纏めるので、毛先は連続した直線または曲線を描くように切り揃えられる。
【０００４】
ところで、上述の全体の形として『揃える』、『整える』、『纏める』という基本コンセプトは、ややもすると形を『固める』といった印象も与えるものであり、髪の毛自体が本来的に持っている流動性や運動性を抑制する方向に捕らえられている。したがって、そのような髪の性質は、例えば風の中で、あるいはスポーツ中での髪形の『乱れ』をもたらす因子として働くものと受け止められる。固められた髪形は不自然感を与え、顧客によってはそのような不自然感を嫌う傾向も見られ、そういったイメージを払拭することが、顧客にとっても理美容師にとっても重要なテーマであった。
【０００５】
そして、上述のようなテーマに挑むべく数多くの試みが個々の理美容師レベルでなされてはいても、それらは理論的に体系付けされることはなく、あくまでも実験的な範囲を超えるものでなかった。
【０００６】
【発明が解決しようとする課題】
本発明は、上述のような従来のヘヤカット理論による実践に対して、これまでの常識を全く払拭する新しいヘヤカット理論を提唱するものであり、髪の流動性や躍動感を最大限に引き出しつつ、髪形としての美しさを追求するヘヤカット法を提供するものである。
【０００７】
【課題を解決するための手段】
本発明に係るヘヤカット法は、上述のごとき従来技術の課題を解決し、その目的を達成するために以下のような特徴を有している。即ち、頭髪の生えている領域を複数のブロックに分割し、各ブロックの頭髪を複数のガイドの長さで鋏によりカットし、これにより、頭髪の生えている領域全体をロングのヘヤスタイルに形成するヘヤカット法において、上記複数のブロックのうち少なくとも後頭部のブロック内では、下記第１ステップ、第２ステップ、および下記第３ステップを順に行い、第１ステップでは、第１の部分的領域である１以上の第１ライン状ゾーンを、最も短い第１ガイドの長さにカットし、第２ステップでは、第２の部分的領域でありかつ上記第１ライン状ゾーンより上位に位置する１以上の第２ライン状ゾーンを、該第２ライン状ゾーンの髪が上記第１ライン状ゾーンの髪に上から重なるように、中程度の長さの第２ガイドの長さにカットし、第３ステップでは、上記第１ライン状ゾーンおよび第２ライン状ゾーンを含んでいる当該ブロックの全体的領域である全体ゾーンを、上記第１および第２ライン状ゾーンより上位に位置する該全体的ゾーン中の部分的髪が上記第１および第２ライン状ゾーンの髪に上から重なるように、上記ロングのヘヤスタイルの髪の長さである最も長い第３ガイドの長さにカットし、上記第１ガイドは、上記第３ガイドの５〜７割の長さとし、上記第２ガイドは、上記第１ガイドよりも長く、且つ上記第３ガイドの７〜８割の長さとすることを特徴とする。仕上がった髪形は、全体として見ると一つのガイドの長さでカットされてる部分はなく、少なくとも後頭部のブロック内では、どの部分も複数のカットの仕方が混ざった形に仕上がる。このように、髪の長さを意図的に切り揃えないことで、髪形の固定されたイメージ、不自然なイメージを払拭し自然な流動感ないし躍動感をヘヤスタイルに与える。
【０００８】
【０００９】
第１ステップは、最終的な髪形にとって土台となる基礎部分のカットであり、このステップでカットされた髪は、第２ステップおよび第３ステップでカットされる髪がその上に重なる。第１ステップでカットされた髪は最も短いので、毛束が立ち、その上に被さる髪を下から持ち上げて髪形全体にボリューム感を持たせる。
【００１０】
第２ステップは、髪の動きに強弱や方向性、変化を与えるカットである。このステップでカットされた髪は、それぞれの髪の生えている方向や癖に応じて動きに種々の特性を持つ。したがって、その上に被さる第３ステップでカットされる髪の動きに対して、計算された動きの表情を与える。第２ステップが行われる第２のゾーンは、第１ステップが行われる第１のゾーンと部分的に一致してもよい。
【００１１】
第３ステップは、ヘヤスタイルとして実際の表面に現れる髪の動きを与えるカットである。このステップでカットされた髪は、第１ステップまたは第２ステップでカットされた髪の上に被さって軽く且つボリームが与えられており、風を受けて靡いたり、体の動きに合わせて動いたりすることによって自然な流動感および躍動感を表現する。
【００１２】
さらに、本発明のヘヤカット法では、上述の各ステップにおいて毛量が調整され、第１ステップよりも第２ステップ、第２ステップよりも第３ステップと、段階的に毛量が減らされるのが好ましい。このように毛量調整することによって第２ステップでカットされた髪、第３ステップでカットされた髪が軽くなり、動き易くなって髪の流動感や躍動感が強調される。また、第１ステップでカットされた髪は十分な毛量を保っているので、その上に被さる髪はフワッとしていてもボリューム感が残される。全体としては、髪はボリュームを保ったまま軽くなって、軽やかな流動感や躍動感が髪の表情として表される。
【００１３】
以上の三つのステップは、それぞれをどの領域の髪に対して施すかによって、無数のヘヤスタイルを作り出すことができるが、各ステップにおけるカット領域およびカットパターンを予め決定してこれを記録しておけば、その記録に基づいて常に一定のヘヤスタイルを再現することができる。
【００１４】
【発明の実施形態】
以下、本発明に係るヘヤカット法によるヘヤカットの実施形態について、図面を参照して説明する。なお、以下の説明において、上述の第１ステップをファンド、第２ステップをベクター、第３ステップをアウターと名付ける。
【００１５】
まず、本発明の実施形態としてロングヘヤのカットについて、図１から図２９を参照して説明する。図１には、両耳の上端を結ぶライン１０から下の後頭部を第１ブロック１１として、このブロック１１の上端中央部１２から両ネープコーナ１３,１４へ向かうライン１５,１６がファンド部分としてカットされる第１のライン状ゾーン、ブロック１１の上端中央部１２から両耳下端へ向かうライン１７,１８がベクター部分としてカットされる第２のライン状ゾーンであることが頭部後方から見て示されている。
【００１６】
ファンド部分１５,１６のカットは、図２に示すように、このライン状ゾーンの毛束１９をスライス取りし、第１ブロック１１の上端側から裾へ向かって次第に髪が長くなるようにカットする。このファンド部分１５,１６の髪の長さは、後に述べるアウターのガイドの長さを１０とするとき、１０：５〜７の比率の長さとなるようにカットする。
【００１７】
べクター部分１７,１８のカットは、図３に示すように、そのライン状ゾーンの毛束２０をスライス取りし、やはりブロック１１の上端側から裾へ向かって次第に髪が長くなるようにカットする。このベクター部分１７,１８の髪の長さは、アウターのガイドの長さを１０とするとき、１０：７〜８の比率の範囲の長さとなるようにカットする。
【００１８】
アウターのカットは、図４に示すように、第１ブロック１１の全体を左右それぞれ三つの縦スライスに分割して各スライス毎に毛束２１を図５に示すように、髪がネープ側ほど長くなるように、即ち首筋側ほど長くなるように、各スライス均等に、左右のスライスをそれぞれ内側から順にカットする。各スライスのカットは上から下に向かって行われる。アウターのガイドは、ロングヘヤとして顧客が希望する長さに応じて決定される。
【００１９】
第１ブロック１１の仕上げとして、全体の質感を整える目的でチェックカットが行われる。このチェックカットは、図６に示すように、ブロック１１の全体を縦に中央と左右のさらに三つのブロックに分割し、それぞれのブロックで上から順に水平に横スライス取りしてカットを行う。各スライス中には、図７に示すように、ファンドの髪２１またはベクターの髪２２、そしてアウターの髪２３が混在しているが、チェックカットでは、各スライス毎に、図のＡからＢに示す範囲でテーパリングカットを行う。このテーパリングカットは、毛先を切り揃えずに自然な感じで不規則な髪長にしながら毛量を少なくするカットであり、本件出願人の株式会社ファキモス・アサヒから販売されているムービングカットシザース（テーパリングNo.1 T33i，テーパリングNo.2 T33s，テーパリングNo.3等）を用いることによって簡単に行えるが、従来のセニングシザースとカットシザースとを組み合わせて２段階もしくはそれ以上の段階を踏んで行うカットによっても同様のスタイルに仕上げることは可能である。なお、全図に示している鋏は、上述のムービングカットシザースを表しており、本来ならば一方の刃が櫛刃状に表れるが、図の簡略化のため、通常の鋏と同様に表している。図のＡからＢに示す範囲は、ファンドの髪２１およびベクターの髪２２の毛先側の部分の範囲を示しており、アウターの髪２３の毛先部分はこの範囲には含まれていない。このようにチェックカットを行うことによって、全体のヘヤスタイルにおけるファンドの髪２１、ベクターの髪２２およびアウターの髪２３の毛先が不規則にされながら、それぞれの毛量も調整される。毛量は、ファンドの髪については殆ど減らさず、ベクターの髪がファンドの髪に対して略９割程度に、アウターの髪は略７割程度にそれぞれ減らされる。
【００２０】
次に、第１ブロック１１の上の第２ブロック２４（図８に示す）のカット手順について説明する。第２ブロック２４は、頭部後方から見ると図９に示すように、両耳の上端を結ぶライン１０から上の後頭部のブロックであり、ファンド部分２５,２６とベクター部分２７,２８のカットゾーンが図示のように設定される。ファンド部分２５,２６は、第２ブロック２４の頂部２９から両ネープコーナ１３,１４へ向かう第１ライン状ゾーンで与えられる。ベクター部分２７,２８は、ブロック２４の頂部２９を通って両耳の上端を結ぶ円弧状の第２ライン状ゾーンで与えられる。頂部２９自体はファンド部分とする。
【００２１】
ファンド部分２５,２６のカットは、図１０に示すように、この第１ライン状ゾーンの毛束３０をスライス取りし、第２ブロック２４の上端側から裾へ向かって髪が略均一の長さとなるようにカットする。このファンド部分２５,２６は、アウターのガイドの５〜７割の範囲の髪の長さとなるようにカットする。
【００２２】
ベクター部分２７,２８のカットは、図１１に示すように、第２ブロック２４の頂部から左右それぞれの耳の上端に至るラインに沿って、その第２ライン状ゾーンの毛束３１をスライス取りし、やはりブロック２４の上端側から裾へ向かって髪が次第に長くなるようにカットする。このベクター部分２７,２８は、アウターのガイドの７〜８割の範囲の髪の長さとなるようにカットする。
【００２３】
アウターのカットは、図１２に示すように、第２ブロック２４の全体を左右それぞれ三つの縦スライスに分割して各スライス毎に毛束３２（図１３に示す）をカットする。各縦スライスは、第２ブロック２４の頂部２９から放射状に取られる。このカットは、既にカットしている第１ブロック１１の上端の髪の長さをガイドにして、図１３に示すように、頂部側へ向かって次第に短くなるようにカットする。カットする方向は頂部側からでもブロックの下側からでもよい。
【００２４】
第２ブロック２４も仕上げとしてチェックカットを行う。図１４に示すようにブロック２４の全体を、ネープコーナ１３,１４から真っすぐ上に上がるラインで縦に中央と左右のさらに三つのブロックに分割し、それぞれのブロックで上から順に水平に横スライス取りしてカットを行う。図１５に示すように、各スライスにはファンドの髪３３またはベクターの髪３４、そしてアウターの髪３５が混在しており、各スライス毎に、図のＡからＢに示す範囲（ファンドの髪３３およびベクターの髪３４の毛先側の部分の範囲）でテーパリングカットを行う。
【００２５】
さらに、第３ブロック３６のカット手順について説明する。第３ブロック３６は前髪の部分を残すようにして取られ、図１６および図１７に示すように、前後には第２ブロック２４の頂部２９から頭頂部（クラウン）を経て前頭部（フロント）の最前縁から２〜３ｃｍ後方の位置まで、左右には両フェイスコーナ３７,３８までのブロックとし、ファンド部分３９,４０とベクター部分４１,４２のカットゾーンが図示のように設定される。ファンド部分３９,４０は、サイドバーン（揉み上げから略真っすぐ上へ延びる線）の延長線上の第１ライン状ゾーンで与えられる。ベクター部分４１,４２は、ファンドラインの中央から左右のネープコーナへ向かう第２ライン状ゾーンで与えられる。
【００２６】
ファンド部分３９,４０およびベクター部分４１,４２のカットは、図１８に示すように、ファンドラインの中央から放射状にスライス取りし、そして髪の長さが一定となるように頭皮に対して略平行にカットされる。ファンド部分３９,４０の髪の長さは、アウターのガイドの５〜７割、ベクター部分４１,４２の髪の長さは、アウターのガイドの７〜８割の長さとなるようにそれぞれカットする。
【００２７】
アウターのカットは、図１９に示すように、第３ブロック３６の全体を頭の前後方向に縦スライス取りするように略７等分し、中央のスライスから順に左または右のスライスへと各スライス毎にカットする。このカットは、図２０に示すように、髪の長さが一定となるように頭皮に対して略平行にカットされる。カットする方向は、前方からでも後方からでもよい。アウターのガイドの長さは、第２ブロック２４と第３ブロック３６との境界部分において第２ブロック２４で既にカットされたアウターの髪の長さに決定される。
【００２８】
第３ブロック３６のチェックカットは、図２１に示すように、ブロック３６の全体を縦に中央と左右のさらに三つのブロックに分割し、それぞれのブロックで前から順に水平に横スライス取りしてカットを行う。図２２に示すように、各スライスにはファンドの髪４３またはベクターの髪４４、そしてアウターの髪４５が混在しており、各スライス毎に、図のＡからＢに示す範囲（ファンドの髪４３およびベクターの髪４４の毛先側の部分の範囲）でテーパリングカットを行う。
【００２９】
第４ブロック４６のカット手順について説明する。第４ブロック４６は、図２３に示すように、両側頭部のブロックであり、それぞれ第２ブロック２４と第３ブロック３６に囲まれるブロックである。このブロック４６では、ファンド部分のカットは行われず、ベクター部分４７のカットが行われる。ベクター部分４７は、第２ブロック２４および第３ブロック３６との交点４８から目尻に向かうライン状ゾーンで与えられる。
【００３０】
ベクター部分４７のカットは、図２４に示すように、上述の交点４８から目尻側へ向かって次第に髪が長くなるようにカットされる。ベクター部分４７の長さは、アウターのガイドの７〜８割の長さとなるようにカットする。
【００３１】
アウターのカットは、図２５に示すように、第４ブロック４６の全体を略５等分するように縦スライス取りし、耳の後ろのスライスから前方のスライスへと順にカットを進める。アウターのガイドの長さは、第２ブロック２４と第４ブロック４６との境界部分において第２ブロック２４で既にカットされたアウターの髪の長さとし、図２６に示すように、ブロック４６の頂部から裾へ向かって次第に髪が長くなるようにカットする。
【００３２】
チェックカットは、図２７に示すように、ブロック４６の上から順に水平に横スライス取りしてテーパリングカットを行う。
【００３３】
最後に、第５ブロック４８として、図２８に示すように、第３ブロック３６の前方２〜３ｃｍの前髪ゾーンのカットについて説明する。このブロック４８は、ヘヤスタイルとして、他のブロックとは基本的に様式の異なる部分である。すなわち、このブロックのヘヤスタイルは、顔のメイクアップとの関連が重要であり、メイクアップの一部として、多種多様のバリエーションが可能である。ここではその一例のカットを説明する。図２９に示すように、ブロック４８を７等分して毛束４９を取り、各毛束４９の長さが交互に長短となるようにカットし、最後にアウトラインを決めてカットする。
【００３４】
以上のステップを踏んでカットされた髪形は、どのブロックにおいてもファンド部分の髪、ベクター部分の髪、アウターの髪が計算されたパターンで混在しており、ファンドおよびベクターの髪の上でアウターの髪が軽やかに美しく自然に揺れ動くヘヤスタイルに仕上がる。このヘヤスタイルは、どのように動いても常に調和のとれた自然な表情を保ち、風の吹いたときやスポーツのプレー中における、いわゆる従来の髪形の崩れを気にしなくてもよい。
【００３５】
次に、本発明を変形した別の応用例として、ミディアムヘヤのカットについて簡単に説明する。このカットでは、図３０，図３１および図３２に示すように、頭髪の生えている全領域にわたってファンド部分５０,５１およびベクター部分５２,５３,５４,５５が図示のように設定される。これらの部分は、両フェイスコーナ３７,３８から後頭部中央で交差して両ネープコーナ１３,１４へ至るラインと、その交差点５６を通って両耳の上端を後頭部で水平に結ぶラインとで与えられる。ただし、この例では、交差点５６から左耳および左ネープコーナ１３に至る各ラインの端部を共に２〜３ｃｍだけ残す。この残す部分を除いて、ファンド部分５０,５１およびベクター部分５２,５３,５４,５５は左右対称である。これらのラインのうちファンド部分５０,５１は、両フェイスコーナ３７,３８から後頭部中央の交差点５６までの部分（交差点５６を含む）とし、残りの部分をベクター部分５２,５３,５４,５５とする。
【００３６】
図３３は、左右対称なファンド部分５０,５１およびベクター部分５２,５３,５４,５５のカットの仕方を示している。カットは、交差点５６の部分から開始する。その長さは、後のファンド部分５０,５１のカットにおいてガイドとなる。続いて水平ラインのベクター部分５２,５３を交差点５６側からカットし、さらに続いて交差点５６から両フェイスコーナ３７,３８へ（ファンド部分５０,５１）、交差点５６から両ネープコーナ１３,１４へ（ベクター部分５４,５５）とカットを進める。いずれの部分も頭皮に対して垂直にスライス取りし、交差点５６から両耳上端に至るベクター部分５２,５３は、アウターのガイドの７割の長さをガイドとして、交差点５６から両耳に向かって次第に長くなる（アウターのガイドの８割程度まで）ようにカットする。交差点５６から両フェイスコーナ３７,３８へ至るファンド部分５０,５１は、アウターのガイドの５割の長さをガイドとして、略均一な長さでカットする。また、交差点５６から両ネープコーナ３７,３８へ至るベクター部分５２,５３は、アウターのガイドの７割の長さをガイドとして、交差点５６からネープコーナ１３,１４へ向かって次第に髪が長くなる（アウターのガイドの８割程度まで）ようにカットする。アウターのガイドは、ミディアムヘヤとして顧客が希望する長さに応じて決定される。
【００３７】
アウターのカットは、最初にロングヘヤについて説明した本発明の実施形態における後頭部ブロックである第１ブロックおよび第２ブロックと同じ各ブロックを、図３４に示すように、それぞれ縦スライス取りして上から下に向かって次第に髪が長くなるようにカットする。また、ロングヘヤの実施形態における側頭部ブロックである第４ブロックと同じブロックを図３５に示すように、縦スライス取りして上から下に向かって次第に髪が長くなるようにカットする。さらに、ロングヘヤの実施形態における頭頂部ブロックおよび前頭部ブロックである第３ブロックおよび第５ブロックと同じブロックを図３６に示すように、毛束を横スライス取りして略均一な髪の長さでカットしてアウトラインを作る。最後に、各ブロックともチェックカットを行って仕上げる。チェックカットでは、ロングヘヤの実施形態の場合と同様、各スライスにファンドの髪またはベクターの髪、そしてアウターの髪が混在しており、各スライス毎に、ファンドの髪およびベクターの髪の毛先側の部分の範囲でテーパリングカットを行う。
【００３８】
最後に、本発明を変形したさらに別の応用例として、ショートヘヤのカットについて簡単に説明する。このカットでは、アウターからカットを進める。ロングヘヤの実施形態における後頭部ブロックである第１ブロックおよび第２ブロックと同じ各ブロックを、図３７および図３８に示すように分割し、毛束を平行に縦スライス取りし、各スライス毎に図３９に示すようにブロックの頂部から裾に向けて次第に髪が短くなるようにカットする。このカットアングルは、後頭部が平坦であるか丸く突出しているか等の形状を考慮して決められるが、平均的には略４５°ぐらいである。アウターのガイドは、ショートヘヤとして顧客が希望する長さに応じて決定される。
【００３９】
アウターのカットの後に、ファンド部分およびベクター部分のカットを行う。図４０に示すように、後頭部ブロックの両耳の上からネープコーナ１３,１４まで生え際に沿って第１のファンド部分５７,５８を設定し、さらに第１ファンド部分５７,５８の間に、第１ファンド部分と平行に第２ファンド部分５９,６０を設定する。第２ファンド部分５９,６０は、ネープ部分で合流して略Ｙ字状に設定されている。さらに第２ファンド部分５９,６０の上方に、第２ファンド部分に平行となるように、略Ｖ字状のベクター部分６１を設定する。第１ファンド部分５７,５８と第２ファンド部分５９,６０の間、第２ファンド部分５９,６０とベクター部分６１の間は、それぞれアウターのままに残される。各ファンド部分およびベクター部分は、両サイドから中央に向かってラインに沿いながら毛束をスライス取りしてカットする。第１ファンド部分５７,５８は、アウターのガイドの１割程度の長さまでカットし、裾をできるだけ軽くする。このことによって、裾部分にくるアウターの毛先の動きやすさが最大限に引き出される。第２ファンド部分５９,６０は、アウターのガイドの５〜７割程度の長さにカットする。また、ベクター部分６１は７〜９割程度とする。
【００４０】
後頭部ブロックのチェックカットは、図４１に示すように、ブロック全体を縦に中央と左右のさらに三つのブロックに分割し、それぞれのブロックで上から順に水平に横スライス取りしてカットを行う。図４２に示すように、各スライスにはファンドの髪６２またはベクターの髪６３、そしてアウターの髪６４が混在しており、各スライス毎に、ファンドの髪およびベクターの髪の毛先側の部分の範囲でテーパリングカットを行う。
【００４１】
次に、ロングヘヤの実施形態における第４ブロックと同じ側頭部ブロックのカットについて述べる。このブロックもアウターからカットを進める。図４３に示すように、前方上方から後方下方へ向かう斜めのスライスを後方から順に取りながら、各斜めスライスを少し前に引くようにしてカットする。アウターのガイドは、隣接した後頭部ブロックの境界部分で既にカットされたアウターの髪の長さとし、上から下へ向かって僅かに短くなっていくようにカットする。
【００４２】
アウターのカットの後に、ファンド部分およびベクター部分のカットを行う。図４４に示すように、フェイスコーナ３８からこめかみまで生え際に沿って第１のファンド部分６５を設定し、さらに第１ファンド部分６５の後方に、第１ファンド部分と平行に第２ファンド部分６６を設定する。第２ファンド部分６６は、耳の付け根上端部分に至っている。さらに第２ファンド部分６６の後方に、第２ファンド部分に平行となるように、ベクター部分６７を設定する。第１ファンド部分６５と第２ファンド部分６６の間、第２ファンド部分６６とベクター部分６７の間、さらにベクター部分６７の斜め上の後方部分は、それぞれアウターのままに残される。各ファンド部分およびベクター部分は、ラインに沿いながら毛束をスライス取りしてカットする。第１ファンド部分６５は、アウターのガイドの１割程度の長さまでカットし、生え際をできるだけ軽くする。このことによって、生え際周辺にくるアウターの毛先の動きやすさが最大限に引き出される。第２ファンド部分６６は、アウターのガイドの５〜７割程度の長さにカットする。また、ベクター部分６７は７〜９割程度とする。このブロックも、他のブロックと同様にファンドの髪およびベクターの髪の毛先側の部分の範囲でのテーパリングカットによるチェックカットを行う。
【００４３】
続いて、頭頂部から前頭部にかけてのブロックのカットについて説明する。このブロックは、図４５に示すように、頭頂部の中心６８から両側頭部に向けて放射状にベクター部分６９,７０,７１を設定する。これらベクター部分６９,７０,７１は、上述の両側頭部ブロックにおいて第１ファンド部分６５、第２ファンド部分６６およびベクター部分６７の間にアウターのままに残された部分に接続させ、ファンド部分とベクター部分を頭頂部分と側頭部分とで連続させずに切り替えることによってパターンに変化をつける。ベクター部分６９,７０,７１のカットは、ラインに沿って毛束をスライス取りして図４６に示すように中央に向かって次第に髪が短くなるようにカットする。ベクター部分６９,７０,７１のガイドは、アウターのガイドの７割程度の長さとする。ベクター部分６９,７０,７１をカットした後にアウターをカットするが、図４７に示すように、毛束を横スライス取りして略均一な長さでカットしてアウトラインを作る。最後に、全てのブロックともチェックカットを行って仕上げる。チェックカットでは、ロングヘヤの実施形態およびミディアムヘヤへの応用例の場合と同様、各スライスにファンドの髪またはベクターの髪、そしてアウターの髪が混在しており、各スライス毎に、ファンドの髪およびベクターの髪の毛先側の部分の範囲でテーパリングカットを行う。
【００４４】
以上の説明では、いずれのヘヤスタイルもファンド、ベクターおよびアウターの三つの異なるガイドを用いるカッティングを組み合わせているが、例えば、ファンドとベクターの中間の長さのカッティングとアウターのカッティングのように、二つのカッティングを組み合わせることも可能である。さらには、ガイドを四つ以上の種類に細分してカッティングを組み合わせることも可能である。
【００４５】
【発明の効果】
本発明に係るヘヤカット法では、どのブロックにおいてもファンド部分の髪、ベクター部分の髪、アウターの髪を調和のとれたパターンで混在させており、自然なイレギュラーさを持つヘヤスタイルに仕上げられる。このヘヤスタイルでは、ファンドおよびベクターの髪の上でアウターの髪が軽やかに美しく自然に揺れ動き、どのように動いても常に調和のとれた自然な表情を保ち、風の中やスポーツのプレー中における、いわゆる従来の髪形の崩れを気にしなくてもよい。また、ロングヘヤ、ミディアムヘヤ、あるいはショートヘヤのいずれのスタイルであっても、ファンド部分のパターンおよびベクター部分のパターンの組み合わせを種々に変更することによって、アウターの髪のニュアンスを種々に演出することができる。
【図面の簡単な説明】
【図１】本発明に係るヘヤカット法の実施形態における第１ブロックのファンド部分とベクター部分のパターンを示す説明図である。
【図２】本発明に係るヘヤカット法の実施形態における第１ブロックのファンド部分のカットの仕方を示す説明図である。
【図３】本発明に係るヘヤカット法の実施形態における第１ブロックのベクター部分のカットの仕方を示す説明図である。
【図４】本発明に係るヘヤカット法の実施形態における第１ブロックのアウターのカットにおける毛束の取り方のパターンを示す説明図である。
【図５】本発明に係るヘヤカット法の実施形態における第１ブロックのアウターのカットの仕方を示す説明図である。
【図６】本発明に係るヘヤカット法の実施形態における第１ブロックのチェックカットにおける毛束の取り方のパターンを示す説明図である。
【図７】本発明に係るヘヤカット法の実施形態における第１ブロックのチェックカットの仕方を示す説明図である。
【図８】本発明に係るヘヤカット法の実施形態における第２ブロックを示す説明図である。
【図９】本発明に係るヘヤカット法の実施形態における第２ブロックのファンド部分とベクター部分のパターンを示す説明図である。
【図１０】本発明に係るヘヤカット法の実施形態における第２ブロックのファンド部分のカットの仕方を示す説明図である。
【図１１】本発明に係るヘヤカット法の実施形態における第２ブロックのベクター部分のカットの仕方を示す説明図である。
【図１２】本発明に係るヘヤカット法の実施形態における第２ブロックのアウターのカットにおける毛束の取り方のパターンを示す説明図である。
【図１３】本発明に係るヘヤカット法の実施形態における第２ブロックのアウターのカットの仕方を示す説明図である。
【図１４】本発明に係るヘヤカット法の実施形態における第２ブロックのチェックカットにおける毛束の取り方のパターンを示す説明図である。
【図１５】本発明に係るヘヤカット法の実施形態における第２ブロックのチェックカットの仕方を示す説明図である。
【図１６】本発明に係るヘヤカット法の実施形態における第３ブロックのファンド部分とベクター部分のパターンを頭部上方から見て示す説明図である。
【図１７】本発明に係るヘヤカット法の実施形態における第３ブロックのファンド部分とベクター部分のパターンを頭部左側方から見て示す説明図である。
【図１８】本発明に係るヘヤカット法の実施形態における第３ブロックのファンド部分およびベクター部分のカットの仕方を示す説明図である。
【図１９】本発明に係るヘヤカット法の実施形態における第３ブロックのアウターのカットにおける毛束の取り方のパターンを示す説明図である。
【図２０】本発明に係るヘヤカット法の実施形態における第３ブロックのアウターのカットの仕方を示す説明図である。
【図２１】本発明に係るヘヤカット法の実施形態における第３ブロックのチェックカットにおける毛束の取り方のパターンを示す説明図である。
【図２２】本発明に係るヘヤカット法の実施形態における第３ブロックのチェックカットの仕方を示す説明図である。
【図２３】本発明に係るヘヤカット法の実施形態における第４ブロックのベクター部分のパターンを頭部左側方から見て示す説明図である。
【図２４】本発明に係るヘヤカット法の実施形態における第４ブロックのベクター部分のカットの仕方を示す説明図である。
【図２５】本発明に係るヘヤカット法の実施形態における第４ブロックのアウターのカットにおける毛束の取り方のパターンを示す説明図である。
【図２６】本発明に係るヘヤカット法の実施形態における第４ブロックのアウターアウターのカットの仕方を示す説明図である。
【図２７】本発明に係るヘヤカット法の実施形態における第４ブロックのチェックカットにおける毛束の取り方のパターンを示す説明図である。
【図２８】本発明に係るヘヤカット法の実施形態における第５ブロックを示す説明図である。
【図２９】本発明に係るヘヤカット法の実施形態における第５ブロックの、カットの際の毛束の取り方と前髪のアウトラインの一例を示す説明図である。
【図３０】本発明に係るヘヤカット法をミディアムヘヤに応用した場合の変形例におけるファンド部分とベクター部分のパターンを頭部後方から見て示す説明図である。
【図３１】ミディアムヘヤの変形例におけるファンド部分とベクター部分のパターンを頭部上方から見て示す説明図である。
【図３２】ミディアムヘヤの変形例におけるファンド部分とベクター部分のパターンを頭部左側方から見て示す説明図である。
【図３３】ミディアムヘヤの変形例におけるファンド部分およびベクター部分のカットの仕方を示す説明図である。
【図３４】ミディアムヘヤの変形例における後頭部ブロックのアウターのカットの仕方を示す説明図である。
【図３５】ミディアムヘヤの変形例における側頭部ブロックのアウターのカットの仕方を示す説明図である。
【図３６】ミディアムヘヤの変形例における頭頂部および前頭部ブロックのアウターのカットの仕方を示す説明図である。
【図３７】本発明に係るヘヤカット法をショートヘヤに応用した場合の変形例における後頭部ブロックのアウターのカットにおける毛束の取り方のパターンを頭部左側方から見て示す説明図である。
【図３８】ショートヘヤの変形例における後頭部ブロックのアウターのカットにおける毛束の取り方のパターンを頭部後方から見て示す説明図である。
【図３９】ショートヘヤの変形例における後頭部ブロックのアウターのカットの仕方を示す説明図である。
【図４０】ショートヘヤの変形例における後頭部ブロックのファンド部分とベクター部分のパターンを頭部後方から見て示す説明図である。
【図４１】ショートヘヤの変形例における後頭部ブロックのチェックカットにおける毛束の取り方のパターンを示す説明図である。
【図４２】ショートヘヤの変形例における後頭部ブロックのチェックカットの仕方を示す説明図である。
【図４３】ショートヘヤの変形例における側頭部ブロックのアウターのカットの仕方を示す説明図である。
【図４４】ショートヘヤの変形例における側頭部ブロックのファンド部分とベクター部分のパターンを頭部左側方から見て示す説明図である。
【図４５】ショートヘヤの変形例における頭頂部ブロックのベクター部分のパターンを頭部左側方から見て示す説明図である。
【図４６】ショートヘヤの変形例における頭頂部ブロックのベクター部分のカットの仕方を示す説明図である。
【図４７】ショートヘヤの変形例における頭頂部および前頭部ブロックのアウターのカットの仕方を示す説明図である。
【符号の説明】
１０  両耳の上端を結ぶライン
１１  第１ブロック
１２  第１ブロックの上端中央部
１３,１４  ネープコーナ
１５,１６  ファンド部分
１７,１８  ベクター部分
１９  ファンド部分の毛束
２０  ベクター部分の毛束
２１  ファンドの髪
２２  ベクターの髪
２３  アウターの髪
２４  第２ブロック
２５,２６  ファンド部分
２７,２８  ベクター部分
２９  第２ブロックの頂部
３０  ファンド部分の毛束
３１  ベクター部分の毛束
３２  アウターの毛束
３３  ファンドの髪
３４  ベクターの髪
３５  アウターの髪
３６  第３ブロック
３７,３８  フェイスコーナ
３９,４０  ファンド部分
４１,４２  ベクター部分
４３  ファンドの髪
４４  ベクターの髪
４５  アウターの髪
４６  第４ブロック
４７  ベクター部分
４８  第５ブロック
４９  毛束
５０,５１  ファンド部分
５２,５３,５４,５５  ベクター部分
５６  後頭部中央の交差点
５７,５８  第１ファンド部分
５９,６０  第２ファンド部分
６１  ベクター部分
６２  ファンドの髪
６３  ベクターの髪
６４  アウターの髪
６５  第１ファンド部分
６６  第２ファンド部分
６７  ベクター部分
６８  頭頂部中心
６９,７０,７１  ベクター部分
【図１】
0003633723.tif 000002
【図２】
0003633723.tif 000003
【図３】
0003633723.tif 000004
【図４】
0003633723.tif 000005
【図５】
0003633723.tif 000006
【図６】
0003633723.tif 000007
【図７】
0003633723.tif 000008
【図８】
0003633723.tif 000009
【図９】
0003633723.tif 000010
【図１０】
0003633723.tif 000011
【図１１】
0003633723.tif 000012
【図１２】
0003633723.tif 000013
【図１３】
0003633723.tif 000014
【図１４】
0003633723.tif 000015
【図１５】
0003633723.tif 000016
【図１６】
0003633723.tif 000017
【図１７】
0003633723.tif 000018
【図１８】
0003633723.tif 000019
【図１９】
0003633723.tif 000020
【図２０】
0003633723.tif 000021
【図２１】
0003633723.tif 000022
【図２２】
0003633723.tif 000023
【図２３】
0003633723.tif 000024
【図２４】
0003633723.tif 000025
【図２５】
0003633723.tif 000026
【図２６】
0003633723.tif 000027
【図２７】
0003633723.tif 000028
【図２８】
0003633723.tif 000029
【図２９】
0003633723.tif 000030
【図３０】
0003633723.tif 000031
【図３１】
0003633723.tif 000032
【図３２】
0003633723.tif 000033
【図３３】
0003633723.tif 000034
【図３４】
0003633723.tif 000035
【図３５】
0003633723.tif 000036
【図３６】
0003633723.tif 000037
【図３７】
0003633723.tif 000038
【図３８】
0003633723.tif 000039
【図３９】
0003633723.tif 000040
【図４０】
0003633723.tif 000041
【図４１】
0003633723.tif 000042
【図４２】
0003633723.tif 000043
【図４３】
0003633723.tif 000044
【図４４】
0003633723.tif 000045
【図４５】
0003633723.tif 000046
【図４６】
0003633723.tif 000047
【図４７】
0003633723.tif 000048